(57)【要約】【課題】変換出力ビット数が異なる２つ以上のＡＤ変換回路によりアナログ映像信号をデジタル信号に変換し、変換出力ビット数が小さい方のデジタル信号の振幅レベル調整をデジタル信号処理回路により行なった場合に、出力映像信号の振幅特性が悪くなるという課題があった。【解決手段】変換出力ビット数が異なる２つ以上のＡＤ変換回路のうち変換出力ビット数が大きい方のデジタル映像信号の振幅レベルを調整するための振幅レベル調整回路と、前記振幅レベル調整回路からの映像信号とそれ以外の前記ＡＤ変換回路からの映像信号を切り替えるための切替回路とを具備し、前記デジタル映像信号の振幅レベルを調整する場合において、変換出力ビット数が大きい方のデジタル映像信号の振幅レベルを調整することを特徴とする。【選択図】  図１
2005020247.tif 000002
【特許請求の範囲】
【請求項１】
アナログ映像信号をデジタル映像信号に変換するための変換出力ビット数が異なる２つ以上のＡ／Ｄ変換回路と、前記２つ以上のＡ／Ｄ変換回路のうち変換出力ビット数が大きい方のデジタル映像信号の振幅レベルを調整するための振幅レベル調整回路と、前記振幅レベル調整回路からの映像信号とそれ以外の前記Ａ／Ｄ変換回路からの映像信号を切り替えるための切替回路とを具備しており、前記デジタル映像信号の振幅レベルを調整する場合において、前記異なる２つ以上のＡ／Ｄ変換回路からのデジタル映像信号のうち、変換出力ビット数が大きい方のデジタル映像信号の振幅レベルを調整することを特徴とする映像信号の振幅レベル調整装置。
【請求項２】
前記振幅レベル調整回路は、デジタル映像信号のペデスタルレベルを基準に映像信号の振幅レベルの拡大もしくは縮小を行なうことを特徴とする請求項１記載の映像信号の振幅レベル調整装置。
【請求項３】
請求項１記載の振幅レベル調整回路は、デジタル映像信号の０レベルを基準に映像信号の振幅レベルの拡大もしくは縮小を行ない、映像信号のＤＣオフセットレベルの調整を加えることを特徴とする請求項１記載の振幅レベル調整装置。
【請求項４】
請求項１記載の映像信号の振幅レベル調整装置において、デジタル映像信号を記憶するためのメモリ１回路を具備しており、前記メモリ１回路はデジタル映像信号のうち副画面側のデジタル映像信号を保持させて、主画面側の同期信号に同期させて読み出すことにより、前記切替回路において多画面合成を行なうことを特徴とする請求項１、２または３記載の映像信号の振幅レベル調整装置。
【請求項５】
請求項４記載の映像信号の振幅レベル調整装置において、デジタル映像信号を記憶するためのメモリ２回路を具備しており、前記メモリ２回路を用いてデジタル映像信号のうち主画面側のデジタル映像信号の水平画素数もしくは垂直ライン数を変え、前記切替回路において多画面合成を行なうことを特徴とする請求項１、２または３記載の映像信号の振幅レベル調整装置。
【請求項６】
アナログ映像信号をデジタル映像信号に変換するための変換出力ビット数が異なる２つ以上のＡ／Ｄ変換回路と、前記２つ以上のＡ／Ｄ変換回路のうち変換出力ビット数が大きい方のデジタル映像信号の振幅レベルを調整するための振幅レベル調整回路と、前記振幅レベル調整回路からの映像信号とそれ以外の前記Ａ／Ｄ変換回路からの映像信号を保持するためメモリ３回路を具備しており、前記メモリ３回路において多画面合成を行なうことを特徴とする映像信号の振幅レベル調整装置。
【請求項７】
請求項６記載の振幅レベル調整回路は、デジタル映像信号のペデスタルレベルを基準に映像信号の振幅レベルの拡大もしくは縮小を行なうことを特徴とする請求項６記載の映像信号の振幅レベル調整装置。
【請求項８】
請求項６記載の振幅レベル調整回路は、デジタル映像信号の０レベルを基準に映像信号の拡大もしくは縮小を行ない、映像信号のＤＣオフセットレベルの調整を加えることを特徴とする請求項６記載の振幅レベル調整装置。
【発明の詳細な説明】
【０００１】
【発明の属する技術分野】
本発明は、異なる２つ以上の変換出力ビット数を有する２つ以上のアナログ−デジタル変換回路により、アナログ映像信号をデジタル映像信号に変換した際のデジタル映像信号の振幅レベル調整装置に関する。
【０００２】
【従来の技術】
近年、従来からのアナログテレビジョン放送に加えて、衛星放送等で送信されるデジタルテレビジョン放送受信用のチューナからのアナログ映像信号およびデジタル映像信号、ＤＶＤに代表される録画機器等、テレビジョン受像機に入力される映像信号が多くなってきており、入力された映像信号の中から２つの映像信号を選択して２画面表示を行なうことは珍しいことではない。画面上に別々の映像信号を表示する２画面表示を行なうためには、副画面側の入力映像信号がアナログ信号であればデジタル信号に変換してからメモリ等の記憶装置に書き込み、主画面側の同期信号に同期させて読み出した後に主画面側の信号と副画面側の信号を切り替えて表示することにより実現できる。
【０００３】
また、ハイビジョン放送の普及や各種表示デバイスの高解像度化により、デジタル映像信号処理を用いた高画質化が必要不可欠となってきている。２画面表示に関しても主画面側の信号と副画面側の信号が共にアナログ映像信号入力である場合には、２つのアナログ−デジタル変換回路（以降、Ａ／Ｄ変換回路と呼ぶ）を用いてデジタル信号に変換した後、各種映像信号処理を行なうことにより多画面表示プラス高画質化を実現している。
【０００４】
しかしながら、高画質化が求められる反面、コストダウンを行なうことも非常に重要であり、その１つとしてアナログ映像信号をデジタル信号に変換するために必要となるＡ／Ｄ変換回路の映像出力ビット幅が、主画面用のアナログ映像信号と副画面用のアナログ映像信号とで異なることがある。これはＡ／Ｄ変換回路自体のコストダウンだけではなく、デジタル信号処理回路の回路規模やメモリ容量を削減できるといった意味において重要なことである。
【０００５】
一方、２画面表示においては２つの入力映像信号を合成して１つの映像信号として表示デバイス上に表示するため、入力された２つの映像信号の振幅レベルが異なる場合は、合成する前に振幅レベルを調整しておく必要がある。
【０００６】
映像信号の振幅レベルを調整する場合には、Ａ／Ｄ変換を行なう前にアナログ信号処理回路により行なう方法と、Ａ／Ｄ変換を行なった後にデジタル信号処理回路により行なう方法があるが、近年のデジタルハイビジョン放送に代表されるようなデジタル信号で入力された場合は、Ａ／Ｄ変換を行なう必要がなくそのままデジタル信号をデジタル映像信号処理回路に入力するため、デジタル信号処理回路内に振幅レベル調整回路を有する必要性がでてきた。同時に、高画質化回路では映像信号の振幅レベルが非常に重要であり、振幅レベル調整回路をデジタル回路で実現することによりきめ細かな調整を行なう必要性もある。
【０００７】
従来の映像信号の振幅レベル調整装置については、特開２００１−１１９６４１により説明されている（特許文献１参照）。
【０００８】
【特許文献１】
特開２００１−１１９６４１号公報
【０００９】
【発明が解決しようとする課題】
しかしながら上記のような構成では、次のような課題を有している。すなわち、
デジタル映像信号処理による高画質化回路を使用する場合には、高画質化回路より以前に映像信号の振幅レベル調整が必要であり、前記高画質化回路の回路規模は非常に大きいため、主画面側と副画面側とに独立した高画質化回路を有することはコストの面において得策ではない。
【００１０】
また２画面表示においては、デジタル映像信号処理による振幅レベル調整を、主画面側の振幅レベルに副画面側の振幅レベルを合わせるようにしていた。しかし、主画面側のＡ／Ｄ変換回路の映像出力ビット数に対して副画面側のＡ／Ｄ変換回路の映像出力ビット数が小さい場合には、主画面側の振幅レベルに副画面側の振幅レベルを合わせると、副画面側の振幅特性が悪くなるという問題があった。
【００１１】
【課題を解決するための手段】
上記課題を解決するために、第１の発明に係る映像信号の振幅レベル調整装置は、アナログ映像信号をデジタル映像信号に変換するための変換出力ビット数が異なる２つ以上のＡ／Ｄ変換回路と、前記２つ以上のＡ／Ｄ変換回路のうち変換出力ビット数が大きい方のデジタル映像信号の振幅レベルを調整するための振幅レベル調整回路と、前記振幅レベル調整回路からの映像信号とそれ以外の前記Ａ／Ｄ変換回路からの映像信号を切り替えるための切替回路とをを具備しており、前記デジタル映像信号の振幅レベルを調整する場合において、前記異なる２つ以上のＡ／Ｄ変換回路からのデジタル映像信号のうち、変換出力ビット数が大きい方のデジタル映像信号の振幅レベルを調整することを特徴とする。
【００１２】
上記発明により、前記Ａ／Ｄ変換回路の変換出力ビット数が大きい方のデジタル映像信号の振幅レベルを調整することにより、変換出力ビット数が小さい方のデジタル映像信号の振幅特性を劣化させることがないため、前記切替回路により切り替えられた２つ以上の映像信号の振幅特性の差を小さくすることができる。
【００１３】
【発明の実施の形態】
以下本発明の実施の形態について、図面を参照しながら説明する。
【００１４】
（実施の形態１）
図１は、本発明の第１の実施の形態による映像信号の振幅レベル調整装置のブロック構成図である。
【００１５】
図１において、映像信号入力１は表示デバイス上に表示する際の主画面側のアナログ映像信号であり、ＭビットＡ／Ｄ変換回路１ＡによりＭビットのデジタル映像信号に変換される。一方、映像信号入力２は表示デバイス上に表示する際の副画面側のアナログ映像信号であり、ＮビットのＡ／Ｄ変換回路１ＢによりＮビットのデジタル映像信号に変換される。ここで、ＭビットおよびＮビットと表記しているＭ、Ｎについては、Ｍ＞Ｎという１以上の整数として、本発明の第１の実施の形態においては、Ｍ＝１０、Ｎ＝８として、説明を行なうものとするがこれに限ったものではない。
【００１６】
振幅レベル調整回路１Ｃは、映像信号入力１と映像信号入力２の振幅レベルの差をなくすために、前記ＭビットＡ／Ｄ変換回路１Ａからのデジタル映像信号の振幅レベルを調整する。切替回路１Ｄは、前記振幅レベル調整回路１Ｃからの映像信号と前記ＮビットＡ／Ｄ変換回路１Ｂからの映像信号を切り替え、映像信号出力として表示デバイス上に出力される。
【００１７】
ただし、前記映像信号入力２は表示デバイス上に出力する際の副画面側のアナログ映像信号と記載したが、これは多画面表示の場合における一例であり、これに限ったものではない。例えば、欧州のビデオ機器においては同じ同期信号を有する映像信号を、コンポジットビデオ信号およびＲ／Ｇ／Ｂ信号として同時に出力することがあり、映像信号入力１にコンポジットビデオ信号が入力され、映像信号入力２にはＲ／Ｇ／Ｂ信号が入力され、前記切替回路１Ｄにより切り替えられて出力される場合がある。
【００１８】
ここで、前記振幅レベル調整回路１Ｃについて説明を行なう。振幅レベル調整回路とは、入力される映像信号の振幅レベルを目的とする振幅レベルになるように、加算もしくは乗算等の演算を施こす回路である。従来の振幅レベル調整回路および本発明の振幅レベル調整回路における映像信号入力波形と映像信号出力波形を図２により説明する。
【００１９】
図２において、前記ＭビットＡ／Ｄ変換回路後の波形およびＮビットＡ／Ｄ変換後の波形を映像信号入力として上段に示す。ここではＭ＝１０、Ｎ＝８として説明を行なうものとし、図２の右端に振幅レベルとして１０進数で１０ビットおよび８ビット表記で示してある。
【００２０】
前記ＭビットＡ／Ｄ変換回路後および前記ＮビットＡ／Ｄ変換回路後の映像信号入力波形において、図２に示すように前記ＭビットＡ／Ｄ変換回路後の映像信号よりも前記ＮビットＡ／Ｄ変換回路後の映像信号の方が振幅レベルが小さい場合、従来の振幅レベル調整回路後の映像信号波形のように前記ＮビットＡ／Ｄ変換回路後の映像信号を振幅レベル調整回路により振幅レベルを大きくする手法と、本発明の振幅レベル調整回路後の映像信号波形のように前記ＭビットＡ／Ｄ変換回路後の映像信号を振幅レベル調整回路により振幅レベルを小さくする手法により、前記ＭビットＡ／Ｄ変換回路後の映像信号の振幅レベルと前記ＮビットＡ／Ｄ変換回路後の映像信号の振幅レベルとを同じにすることが可能である。図２では、前記ＭビットＡ／Ｄ変換回路に入力される映像信号の方が前記ＮビットＡ／Ｄ変換回路に入力される映像信号よりも振幅レベルが大きい場合を説明したが、小さい場合も同様に、従来の振幅レベル調整回路後の映像信号波形のように前記ＮビットＡ／Ｄ変換回路後の映像信号を振幅レベル調整回路により振幅レベルを小さくする手法と、本発明の振幅レベル調整回路後の映像信号波形のように前記ＭビットＡ／Ｄ変換回路後の映像信号を振幅レベル調整回路により振幅レベルを大きくする手法により、前記ＭビットＡ／Ｄ変換回路後の映像信号の振幅レベルと前記ＮビットＡ／Ｄ変換回路後の映像信号の振幅レベルとを同じにすることが可能である。
【００２１】
図３に、前記ＭビットＡ／Ｄ変換回路後の映像信号および前記ＮビットＡ／Ｄ変換回路後の映像信号を、前記振幅レベル調整回路において５／４倍にした場合の出力映像信号の波形を示す。図３においてもＭ＝１０、Ｎ＝８として説明することにする。
【００２２】
前記ＭビットＡ／Ｄ変換回路およびＮビットＡ／Ｄ変換回路に入力する映像信号としてランプ波形を入力した場合、それぞれのＡ／Ｄ変換回路後の波形は、図３の上段のように、Ａ／Ｄ変換回路の出力ビット数に応じた階段波形となる。１０ビットＡ／Ｄ変換回路の場合は０から１０２３までの１０２４階調となり、８ビットＡ／Ｄ変換回路の場合は０から２５５までの２５６階調となる。すなわち１０ビットＡ／Ｄ変換回路の方が８ビットＡ／Ｄ変換回路よりも４倍のビット精度をもつため、その分振幅特性がよい。
【００２３】
それぞれのＡ／Ｄ変換回路後の映像信号を前記振幅レベル調整回路において振幅レベルを５／４倍にした場合の波形を、図３の下段に示す。ここで、それぞれのＡ／Ｄ変換後の映像信号の振幅レベルをそのまま５／４倍にした波形を点線で示してあるが、実際の回路では回路規模の面から映像信号処理回路のビット数は基本的にＡ／Ｄ変換回路のビット数と同じに制限されることが多く、実線で示されるように小数点となる振幅レベルはその上下どちらか近い方の整数に近似されてしまう。
【００２４】
ここで問題となるのが前記近似、すなわちまるめ誤差である。振幅レベル調整を行なう場合、前記ＭビットＡ／Ｄ変換回路後の映像信号を前記振幅レベル調整回路において振幅レベルの調整を行なった方が、前記ＮビットＡ／Ｄ変換回路後の映像信号の振幅レベル調整を行なうよりもまるめ誤差を小さくすることができる。
【００２５】
切替回路１Ｄでは、前記振幅レベル調整回路１Ｃからの出力と前記ＮビットＡ／Ｄ変換回路１Ｂからの信号を切り替えて、映像信号出力として各種表示デバイスに出力される。
【００２６】
（実施の形態２）
図４は、本発明の第２の実施の形態による映像信号の振幅レベル調整装置における振幅レベル調整回路の説明図である。
【００２７】
図４において、請求項２記載の映像信号の振幅レベル調整装置における振幅レベル調整回路は、請求項１記載の振幅レベル調整回路１Ｃが、入力される映像信号が輝度信号の場合にはペデスタルレベルを基準に映像信号の振幅レベルを拡大もしくは縮小することにより、前記ＭビットＡ／Ｄ変換回路１Ａからの映像信号と前記ＮビットＡ／Ｄ変換回路１Ｂからの映像信号の振幅レベルを限りなく等しくすることが可能である。またペデスタルレベルが変動しないため、映像信号の黒レベルの基準を変化させずに振幅レベルを調整することができる。
【００２８】
したがって、本発明の請求項２記載の映像信号の振幅レベル調整装置によると、前記切替回路１Ｄにより映像信号のフォーマットは異なるが映像としては同じ前記映像信号入力１と前記映像信号入力２が切り替えられて出力されても、明るさにおける違和感や振幅レベルの劣化を最小限に抑えた出力映像信号を表示デバイス上に表示することが可能である。
【００２９】
また、本実施例では、輝度信号における振幅レベルの調整を行なっているが、これに限ったものではなく、色差信号についても同様の処理を行なってもよい。
【００３０】
（実施の形態３）
図５は、本発明の第３の実施の形態による映像信号の振幅レベル調整装置における振幅レベル調整回路の説明図である。
【００３１】
図５において、請求項３記載の映像信号の振幅レベル調整装置における振幅レベル調整回路は、請求項１記載の振幅レベル調整回路１Ｃが、入力される映像信号が輝度信号の場合にはデジタル映像信号の０レベルを基準に映像信号の振幅レベルの拡大もしくは縮小を行なった後に、映像信号のＤＣオフセット調整を行なうことによりペデスタルレベルを所望のレベルにすることが可能である。ペデスタルレベルは映像信号の黒レベルの基準となるため、ペデスタルレベルの調整は高画質化回路において重要な意味を持つ。
【００３２】
例えば、前記ＭビットＡ／Ｄ変換回路１Ａに入力される映像信号に同期信号が重畳されており、Ａ／Ｄ変換後のデジタル映像信号から同期分離を行なう場合には同期信号を含めてＡ／Ｄ変換を行なう必要がある。図６に本請求項における振幅レベル調整回路によりペデスタルレベルを小さくした場合の波形図を示す。同期分離を行なった後の映像信号にはペデスタルレベル以下の信号に映像情報を持たないため、デジタル映像信号のダイナミックレンジを有効に活用するためには、デジタル映像信号の０レベルを基準に映像信号の振幅レベルの拡大を行なった後に、前記ＤＣオフセット調整によりペデスタルレベルを小さく設定することにより、前記振幅レベル調整回路以降に高画質化回路がある場合にはダイナミックレンジを有効に活用することができ、更なる高画質化が図れる。本請求項で示す高画質化回路とはＩＰ変換回路やノイズリダクション回路、水平および垂直ピーキング回路や黒伸張回路等があげられるが、これに限ったものではない。
【００３３】
上記構成により、前記ＭビットＡ／Ｄ変換回路１Ａからの映像信号と前記ＮビットＡ／Ｄ変換回路１Ｂからの映像信号の振幅レベルを限りなく等しくすることが可能である。
【００３４】
したがって、本発明の請求項３記載の映像信号の振幅レベル調整装置によると、前記切替回路１Ｄにより映像信号のフォーマットは異なるが映像としては同じ前記映像信号入力１と前記映像信号入力２が切り替えられて出力されても、明るさにおける違和感や振幅レベルの劣化を最小限に抑えた出力映像信号を表示デバイス上に表示することが可能であり、加えてデジタル映像信号のダイナミックレンジを有効に活用できるため、更なる高画質化を図ることが可能である。
【００３５】
また、本実施例では、デジタル映像信号の０レベルを基準に映像信号の振幅レベルの拡大もしくは縮小を行なった後に、映像信号のＤＣオフセット調整を行なっているが、これに限ったものではなく、図７に示すようにまず映像信号のＤＣオフセット調整を行なった後にデジタル映像信号の０レベルを基準に映像信号の振幅レベルの拡大もしくは縮小を行なってもよい。加えて、本実施例では、輝度信号における振幅レベルの調整を行なっているが、これに限ったものではなく、色差信号についても同様の処理を行なってもよい。
【００３６】
（実施の形態４）
図８は、本発明の第４の実施の形態による映像信号の振幅レベル調整装置のブロック構成図である。
【００３７】
図８において、映像信号入力１は表示デバイス上に表示する際の主画面側のアナログ映像信号であり、ＭビットＡ／Ｄ変換回路８ＡによりＭビットのデジタル映像信号に変換される。一方、映像信号入力２は表示デバイス上に表示する際の副画面側のアナログ映像信号であり、ＮビットのＡ／Ｄ変換回路８ＢによりＮビットのデジタル映像信号に変換される。ここで、ＭビットおよびＮビットと表記しているＭ、Ｎは、Ｍ＞Ｎという１以上の整数である。振幅レベル調整回路８Ｃは、映像信号入力１と映像信号入力２の振幅レベルの差をなくすために、前記ＭビットＡ／Ｄ変換回路８Ａからのデジタル映像信号の振幅レベルを調整する。前記ＮビットＡ／Ｄ変換回路８Ｂからのデジタル映像信号を映像信号２の同期信号に同期させて記憶装置であるメモリ１回路８Ｅに保持した後、主画面側である映像信号１の同期信号に同期させてメモリ１回路８Ｅに保持してあるデジタル映像信号を読み出す。切替回路８Ｄは、前記振幅レベル調整回路８Ｃからの主画面側の映像信号と前記メモリ１回路８Ｅからの副画面側の映像信号を切り替え、映像信号出力として表示デバイス上に出力させることにより、ＰＩＰ（Ｐｉｃｔｕｒｅ  Ｉｎ  Ｐｉｃｔｕｒｅ）に代表される多画面表示が実現できる。
【００３８】
また、前記メモリ１回路８Ｅに書き込んだり読み出したりする際に、圧縮や伸張といった手法により水平画素数および垂直ライン数を変えて、所望の水平画素数や垂直ライン数への変換を行なう場合も含む。
【００３９】
したがって、本発明の実施の形態１で説明したように、映像信号１と映像信号２の切り替え前と切り替え後における振幅特性の劣化を最小限に抑えた多画面表示が可能である。
【００４０】
（実施の形態５）
図９は、本発明の第５の実施の形態による映像信号の振幅レベル調整装置のブロック構成図である。
【００４１】
図９において、映像信号入力１は表示デバイス上に表示する際の主画面側のアナログ映像信号であり、ＭビットＡ／Ｄ変換回路９ＡによりＭビットのデジタル映像信号に変換される。一方、映像信号入力２は表示デバイス上に表示する際の副画面側のアナログ映像信号であり、ＮビットのＡ／Ｄ変換回路９ＢによりＮビットのデジタル映像信号に変換される。ここで、ＭビットおよびＮビットと表記しているＭ、Ｎは、Ｍ＞Ｎという１以上の整数である。振幅レベル調整回路９Ｃは、映像信号入力１と映像信号入力２の振幅レベルの差をなくすために、前記ＭビットＡ／Ｄ変換回路９Ａからのデジタル映像信号の振幅レベルを調整する。前記振幅レベル調整回路９Ｃからのデジタル映像信号を映像信号１の同期信号に同期させて記憶装置であるメモリ２回路９Ｆに保持した後、同じく映像信号１の同期信号に同期させてメモリ２回路９Ｆに保持しているデジタル映像信号を読み出す。前記ＮビットＡ／Ｄ変換回路９Ｂからのデジタル映像信号を映像信号２の同期信号に同期させて記憶装置であるメモリ１回路９Ｅに保持した後、主画面側である映像信号１の同期信号に同期させてメモリ１回路９Ｅに保持しているデジタル映像信号を読み出す。切替回路９Ｄは、前記メモリ２回路９Ｆからの主画面側の映像信号と前記メモリ１回路９Ｅからの副画面側の映像信号を切り替え、映像信号出力として表示デバイス上に出力させることにより、ＰＯＰ（Ｐｉｃｔｕｒｅ  Ｏｕｔ  Ｐｉｃｔｕｒｅ）に代表される多画面表示が実現できる。
【００４２】
また、前記メモリ２回路９Ｆやメモリ１回路９Ｅに書き込んだり読み出したりする際に、圧縮や伸張といった手法により水平画素数および垂直ライン数を変えて、所望の水平画素数や垂直ライン数への変換を行なう場合も含む。
【００４３】
したがって、本発明の実施の形態１で説明したように、映像信号１と映像信号２の切り替え前と切り替え後における振幅特性の劣化を最小限に抑えた多画面表示が可能である。
【００４４】
（実施の形態６）
図１０は、本発明の第６の実施の形態による映像信号の振幅レベル調整装置のブロック構成図である。
【００４５】
図１０において、映像信号入力１は表示デバイス上に表示する際の主画面側のアナログ映像信号であり、ＭビットＡ／Ｄ変換回路１０ＡによりＭビットのデジタル映像信号に変換される。一方、映像信号入力２は表示デバイス上に表示する際の副画面側のアナログ映像信号であり、ＮビットのＡ／Ｄ変換回路１０ＢによりＮビットのデジタル映像信号に変換される。ここで、ＭビットおよびＮビットと表記しているＭ、Ｎは、Ｍ＞Ｎという１以上の整数である。振幅レベル調整回路９Ｃは、映像信号入力１と映像信号入力２の振幅レベルの差をなくすために、前記ＭビットＡ／Ｄ変換回路１０Ａからのデジタル映像信号の振幅レベルを調整する。前記振幅レベル調整回路１０Ｃからのデジタル映像信号を映像信号１の同期信号に同期させて記憶装置であるメモリ３回路１０Ｄに保持させる。一方、前記ＮビットＡ／Ｄ変換回路１０Ｂからのデジタル映像信号を映像信号２の同期信号に同期させて記憶装置であるメモリ３回路１０Ｄに保持させる。前記メモリ３回路１０Ｄに書き込んだり読み出したりする際に、圧縮や伸張といった手法により水平画素数および垂直ライン数を変えて、所望の水平画素数や垂直ライン数への変換を行なう場合も含む。前記メモリ３回路１０Ｄに保持しているデジタル映像信号を、主画面側である映像信号１の同期信号に同期させて読み出す。前記メモリ３回路１０Ｄに保持してあるデジタル映像信号を読み出す際に、主画面側の映像信号と副画面側の映像信号を切り替えて読み出すことにより、多画面表示を実現できる。
【００４６】
したがって、本発明の実施の形態１で説明したように、映像信号１と映像信号２の切り替え前と切り替え後における振幅特性の劣化を最小限に抑えた多画面表示が可能である。
【００４７】
（実施の形態７）
請求項７記載の映像信号の振幅レベル調整装置における振幅レベル調整回路は、請求項６記載の振幅レベル調整回路１０Ｃが、入力される映像信号が輝度信号の場合にはペデスタルレベルを基準に映像信号の振幅レベルを拡大もしくは縮小することにより、前記ＭビットＡ／Ｄ変換回路１０Ａからの映像信号と前記ＮビットＡ／Ｄ変換回路１０Ｂからの映像信号の振幅レベルを限りなく等しくすることが可能である。またペデスタルレベルが変動しないため、映像信号の黒レベルの基準を変化させずに振幅レベルを調整することができる。
【００４８】
したがって、本発明の請求項７記載の映像信号の振幅レベル調整装置によると、映像信号入力１および映像信号入力２からの映像信号の振幅レベルの劣化を最小限に抑えた多画面表示を実現することが可能である。
【００４９】
また、本実施例では、輝度信号における振幅レベルの調整を行なっているが、これに限ったものではなく、色差信号についても同様の処理を行なってもよい。
【００５０】
（実施の形態８）
請求項８記載の映像信号の振幅レベル調整装置における振幅レベル調整回路は、請求項６記載の振幅レベル調整回路１０Ｃが、入力される映像信号が輝度信号の場合にはデジタル映像信号の０レベルを基準に映像信号の振幅レベルの拡大もしくは縮小を行なった後に、映像信号のＤＣオフセット調整を行なうことによりペデスタルレベルを所望のレベルにすることが可能である。ペデスタルレベルは映像信号の黒レベルの基準となるため、ペデスタルレベルの調整は高画質化回路において重要な意味を持つ。
【００５１】
例えば、前記ＭビットＡ／Ｄ変換回路１０Ａに入力される映像信号に同期信号が重畳されており、Ａ／Ｄ変換後のデジタル映像信号から同期分離を行なう場合には同期信号を含めてＡ／Ｄ変換を行なう必要がある。同期分離を行なった後の映像信号にはペデスタルレベル以下の信号に映像情報を持たないため、デジタル映像信号のダイナミックレンジを有効に活用するためには、デジタル映像信号の０レベルを基準に映像信号の振幅レベルの拡大を行なった後に、前記ＤＣオフセット調整によりペデスタルレベルを小さく設定することにより、前記振幅レベル調整回路以降に高画質化回路がある場合にはダイナミックレンジを有効に活用することができ、更なる高画質化が図れる。本請求項で示す高画質化回路とはＩＰ変換回路やノイズリダクション回路、水平および垂直ピーキング回路や黒伸張回路等があげられるが、これに限ったものではない。
【００５２】
上記構成により、前記ＭビットＡ／Ｄ変換回路１０Ａからの映像信号と前記ＮビットＡ／Ｄ変換回路１０Ｂからの映像信号の振幅レベルを限りなく等しくすることが可能である。
【００５３】
したがって、本発明の請求項８記載の映像信号の振幅レベル調整装置によると、
映像信号入力１および映像信号入力２からの映像信号の振幅レベルの劣化を最小限に抑えた多画面表示を実現することが可能であり、加えてデジタル映像信号のダイナミックレンジを有効に活用できるため、更なる高画質化を図ることが可能である。
【００５４】
また、本実施例では、デジタル映像信号の０レベルを基準に映像信号の振幅レベルの拡大もしくは縮小を行なった後に、映像信号のＤＣオフセット調整を行なっているが、これに限ったものではなく、まず映像信号のＤＣオフセット調整を行なった後にデジタル映像信号の０レベルを基準に映像信号の振幅レベルの拡大もしくは縮小を行なってもよい。加えて、本実施例では、輝度信号における振幅レベルの調整を行なっているが、これに限ったものではなく、色差信号についても同様の処理を行なってもよい。
【００５５】
【発明の効果】
以上のように、本発明の映像信号の振幅レベル調整装置によれば、異なるＡ／Ｄ変換回路に入力された映像信号を切り替えて表示デバイス上に出力した場合においても、映像信号の切り替え前と切り替え後における振幅特性の劣化を最小限に抑えることができる。
【図面の簡単な説明】
【図１】本発明の第１の実施例の映像信号の振幅レベル調整装置のブロック図
【図２】従来の振幅レベル調整回路および本発明の第１の実施例の振幅レベル調整回路における映像信号入力波形図と映像信号出力波形図
【図３】本発明の第１の実施例の振幅レベル調整回路において５／４倍にした場合の出力映像信号の波形図
【図４】本発明の第２の実施の形態による映像信号の振幅レベル調整装置における振幅レベル調整回路の説明図
【図５】本発明の第３の実施の形態による映像信号の振幅レベル調整装置における振幅レベル調整回路の説明図
【図６】本発明の第３の実施の形態による映像信号のＤＣオフセット調整の説明図
【図７】本発明の第３の実施の形態による映像信号の振幅レベル調整装置におけるもう一方の振幅レベル調整回路の説明図
【図８】本発明の第４の実施例の映像信号の振幅レベル調整装置のブロック図
【図９】本発明の第５の実施例の映像信号の振幅レベル調整装置のブロック図
【図１０】本発明の第６の実施例の映像信号の振幅レベル調整装置のブロック図
【符号の説明】
１Ａ  ＭビットＡ／Ｄ変換回路
１Ｂ  ＮビットＡ／Ｄ変換回路
１Ｃ  振幅レベル調整回路
１Ｄ  切替回路
１１  映像信号入力１
１２  映像信号入力２
１３  映像信号出力
８Ａ  ＭビットＡ／Ｄ変換回路
８Ｂ  ＮビットＡ／Ｄ変換回路
８Ｃ  振幅レベル調整回路
８Ｄ  切替回路
８Ｅ  メモリ１回路
８１  映像信号入力１
８２  映像信号入力２
８３  映像信号出力
９Ａ  ＭビットＡ／Ｄ変換回路
９Ｂ  ＮビットＡ／Ｄ変換回路
９Ｃ  振幅レベル調整回路
９Ｄ  切替回路
９Ｅ  メモリ１回路
９Ｆ  メモリ２回路
９１  映像信号入力１
９２  映像信号入力２
９３  映像信号出力
１０Ａ  ＭビットＡ／Ｄ変換回路
１０Ｂ  ＮビットＡ／Ｄ変換回路
１０Ｃ  振幅レベル調整回路
１０Ｄ  メモリ３回路
１０１  映像信号入力１
１０２  映像信号入力２
１０３  映像信号出力
【図１】
2005020247.tif 000003
【図２】
2005020247.tif 000004
【図３】
2005020247.tif 000005
【図４】
2005020247.tif 000006
【図５】
2005020247.tif 000007
【図６】
2005020247.tif 000008
【図７】
2005020247.tif 000009
【図８】
2005020247.tif 000010
【図９】
2005020247.tif 000011
【図１０】
2005020247.tif 000012